(57)【要約】【課題】無線インターネットへの接続なしに、携帯端末で位置情報を利用できるように、データバーストメッセージとして位置情報を提供できる位置情報提供システム及びその方法を提供すること。【解決手段】所定の携帯端末に対する位置情報を有する位置情報サーバにおいて、位置情報サービスに加入された携帯端末利用者に対する位置情報サービスが要求されると、該当の端末機の位置情報を検索するステップと、検索された位置情報を短文メッセージサービスセンターに転送するステップと、短文メッセージサービスセンターにおいて、受信された位置情報を利用してデータバーストメッセージを作成し、作成されたデータバーストメッセージを前記携帯端末に転送するステップとを含む。【選択図】図２
2005027275.tif 000002
【特許請求の範囲】
【請求項１】
位置情報サーバから転送される位置情報を有するデータバーストメッセージが受信されると、前記受信されたデータバーストメッセージから位置情報を抽出して前記端末利用者に位置情報を提供することを特徴とする携帯端末。
【請求項２】
前記位置情報サーバから受信されるデータバーストメッセージを分析して地理情報を抽出し、前記抽出された地理情報を提供する位置情報処理モジュールと、
前記位置情報処理モジュールから提供される位置情報を利用して利用者に現在位置情報を提供するアプリケーション処理部とを備えることを特徴とする請求項１に記載の携帯端末。
【請求項３】
前記位置情報処理モジュールは、前記端末利用者により位置情報を特定の受信端末に転送することが要求されると、現在位置情報が存在するか否かを判別し、位置情報が存在すると、短文メッセージサービスセンターを介して特定番号の受信端末に位置情報を転送し、位置情報が存在しないと、前記位置情報サーバに位置情報要求メッセージを転送し、前記位置情報サーバを介して特定番号の受信端末に位置情報を転送するようにすることを特徴とする請求項２に記載の携帯端末。
【請求項４】
前記データバーストメッセージは、前記位置情報サーバから転送される緯度、経度、測定時間などの地理情報からなるボディ部を含むことを特徴とする請求項１に記載の携帯端末。
【請求項５】
前記前記データバーストメッセージが「BURST_TYPE=3」である短文メッセージであれば、前記一般の短文メッセージとの区別のための所定の区別タグをさらに含むことを特徴とする請求項４に記載の携帯端末。
【請求項６】
所定の携帯端末に対する位置情報を収集し、位置情報サービスを提供されるために登録された特定の端末に対する位置情報サービスが要求されると、該当の端末に対する位置情報を検索して短文メッセージサービスセンターを介してデータバーストメッセージとして前記該当の端末の位置情報を利用者に提供することを特徴とする位置情報サーバ。
【請求項７】
前記携帯端末利用者の要求により、前記端末に対する位置情報をデータバーストメッセージで指定された番号の受信端末に転送することを特徴とする請求項６に記載の位置情報サーバ。
【請求項８】
前記データバーストメッセージは、前記位置情報サーバから転送される緯度、経度、測定時間などの地理情報からなるボディ部を含むことを特徴とする請求項６に記載の位置情報サーバ。
【請求項９】
前記データバーストメッセージが「BURST_TYPE=3」である短文メッセージであれば、前記一般の短文メッセージとの区別のための所定の区別タグをさらに含むことを特徴とする請求項８に記載の位置情報サーバ。
【請求項１０】
所定の携帯端末に対する位置情報を有する位置情報サーバで、位置情報サービスに加入された携帯端末利用者に対する位置情報サービスが要求されると、該当の端末の位置情報を検索するステップと、
前記検索された位置情報を短文メッセージサービスセンターに転送するステップと、
前記短文メッセージサービスセンターで、受信した位置情報を利用してデータバーストメッセージを作成し、前記作成されたデータバーストメッセージを前記携帯端末に転送するステップとを含むことを特徴とする位置情報提供方法。
【請求項１１】
前記位置情報サーバで、携帯端末利用者の要求により、前記端末に対する位置情報を指定された番号の受信端末に転送するステップをさらに含むことを特徴とする請求項１０に記載の位置情報提供方法。
【請求項１２】
前記データバーストメッセージは、前記位置情報サーバから転送される緯度、経度、測定時間などの地理情報からなるボディ部を含むことを特徴とする請求項１０に記載の位置情報提供方法。
【請求項１３】
前記データバーストメッセージが「BURST_TYPE=3」である短文メッセージであれば、前記一般の短文メッセージとの区別のための所定の区別タグをさらに含むことを特徴とする請求項１２に記載の位置情報提供方法。
【請求項１４】
位置情報サーバから提供されるデータバーストメッセージを受信するステップと、
前記データバーストメッセージが受信されると、位置情報処理モジュールを実行し、前記データバーストメッセージから地理情報を検出するステップと、
前記検出された地理情報をアプリケーション処理部に入力し、前記アプリケーション処理部を介して利用者に位置情報を提供するステップとを含むことを特徴とする位置情報提供方法。
【請求項１５】
前記携帯端末で、前記位置情報処理モジュールを介して自分の現在位置情報を特定の携帯端末利用者に提供するステップをさらに含むことを特徴とする請求項１４に記載の位置情報提供方法。
【請求項１６】
前記自分の現在位置情報を特定の携帯端末利用者に提供するステップは、
前記自分の現在位置情報を転送しようとする受信端末の番号を入力し、現在位置情報が自分の端末内に存在するか否かを判別するステップと、
前記判別の結果、現在位置情報が存在すると、短文メッセージサービスセンターを介して前記位置情報を前記特定の携帯端末利用者に転送するステップと、
前記判別の結果、現在位置情報が存在しないと、前記位置情報サーバに位置情報要求メッセージを転送し、前記位置情報サーバを介して該当番号の受信端末に自分の位置情報を 転送するステップとを含むことを特徴とする請求項１５に記載の位置情報提供方法。
【請求項１７】
前記位置情報を短文メッセージサービスを利用して転送するとき、短文メッセージは、一般の短文メッセージとの区別のための所定のタグをさらに含み、緯度、経度、測定時間などの地理情報からなるボディ部を含むことを特徴とする請求項１６に記載の位置情報提供方法。
【請求項１８】
前記データバーストメッセージは、前記位置情報サーバから転送される緯度、経度、測定時間などの地理情報からなるボディ部を含むことを特徴とする請求項１４に記載の位置情報提供方法。
【請求項１９】
前記データバーストメッセージが「BURST_TYPE=3」である短文メッセージであれば、前記一般の短文メッセージとの区別のための所定の区別タグをさらに含むことを特徴とする請求項１８に記載の位置情報提供方法。
【発明の詳細な説明】
【技術分野】
【０００１】
本発明は、位置情報提供システム及びその方法に関し、より詳しくは、データバーストメッセージを使用し、携帯端末で無線インターネットを介して位置情報サーバにアクセスすることなく、位置情報サーバから位置情報を取得して現在位置を確認し、他の端末利用者に自分の位置を知らせることを可能とする位置情報提供システム及びその方法に関する。
【背景技術】
【０００２】
最近、携帯端末を対象に提供される様々な付加サービスのうち、携帯端末利用者の位置を実時間で確認して所望の端末に提供する位置情報サービスへの関心が急激に高まっている。
【０００３】
即ち、携帯端末利用者は、位置情報サービスから提供された現在位置情報を利用し、端末機に備えられた所定のアプリケーションプログラムにより現地の天気及び緊急災害警報などの情報を取得することができ、現在位置から目的地までの経路も確認することができる。
【０００４】
このような携帯端末利用者を対象として提供される位置情報サービス方式は、大別して、全地球測位システム(Global Positioning System: 以下、ＧＰＳと称する)を利用する方式と、位置情報サーバを利用する方式がある。
【０００５】
このうち、ＧＰＳ方式の場合は、端末利用者がＧＰＳ受信装置を備えた端末機を別に備える必要があり、かつ、衛星ベースの位置追跡サービスであることから、高価なサービスとなる。
【０００６】
このため、位置情報サーバから位置情報を取得する方法が広く用いられている。
【０００７】
図１は、従来の位置情報提供システムの構造を概略的に示す図である。
【０００８】
図示のように、従来の位置情報提供システムは、無線インターネットサービスにアクセス可能な携帯端末１０と、ホームロケーションレジスタ(Home Location Register: 以下、ＨＬＲと称する、図示せず)またはビジターロケーションレジスタ(Visited Location Register: 以下、ＶＬＲと称する、図示せず)を利用し、位置情報サービスに登録された端末の位置情報を収集して該当の端末に提供する位置情報サーバ３０とから構成されている。
【０００９】
このような位置情報提供システムから位置情報を取得するために、携帯端末１０の利用者は、所定のアプリケーションプログラムを実行し、該アプリケーションプログラムで位置情報サーバ３０にアクセスして自分の位置情報を要求する。
【００１０】
位置情報サーバ３０では、位置情報を要求する携帯端末１０がサービスに登録された端末であるか否かを判断した後、該当の携帯端末１０の位置情報を検索して携帯端末１０に転送する。
【００１１】
携帯端末１０のアプリケーションプログラムでは、位置情報サーバ３０から提供される位置情報をダウンロードし、アプリケーションプログラムの機能により利用者に現在位置情報及びこれを利用した付加情報を提供する。
【００１２】
このような従来の位置情報提供方法では、位置情報を取得しようとする端末利用者が所定のアプリケーションプログラムを実行し、実行されたアプリケーションプログラムで位置情報サーバにアクセスするときにのみ位置情報を得ることが可能であった。
【００１３】
また、位置情報サーバから取得した位置情報は、位置情報を利用するアプリケーションプログラム間の共有が不可能であり、必要に応じて、各アプリケーションプログラムで位置情報サーバにそれぞれアクセスして位置情報を取得する必要があり、受信された位置情報を自分の携帯端末から他の携帯端末に直接転送することができず、位置情報サーバにアクセスして受信端末の情報を入力してから、転送を要求しなければならないという煩わしさがあった。
【００１４】
従って、一々無線インターネットで位置情報サーバにアクセスすることなく、位置情報サーバから位置情報を簡単に取得し、受信された位置情報をより効率的に活用できるようにする位置情報提供方法が求められている。
【発明の開示】
【発明が解決しようとする課題】
【００１５】
本発明は、上記問題点に鑑みなされたものであり、位置情報の提供に当たって、無線インターネットへの接続なしに、携帯端末で位置情報を利用できるように、データバーストメッセージとして位置情報を提供することを主な目的とする。
【００１６】
また、データバーストメッセージとして提供される位置情報を他の携帯端末に転送するか、他のアプリケーションプログラムで利用できるようにし、位置情報を効率的に活用できるようにすることを他の目的とする。
【００１７】
また、データバーストメッセージで位置情報を取得することにより、携帯端末から無線通信と独立して位置情報を取得できるようにすることをさらに他の目的とする。
【課題を解決するための手段】
【００１８】
上記の目的を達成するため、本発明は、位置情報サーバから一定の時間間隔または指定された時間に所定の携帯端末の位置情報を検索して短文メッセージサービスセンターに転送し、短文メッセージサービスセンターでは、位置情報サーバから受信した位置情報をデータバーストメッセージに載せて携帯端末に転送する。
【００１９】
携帯端末では、短文メッセージサービスセンターからデータバーストメッセージが受信されると、位置情報処理モジュールを介して受信されたデータバーストメッセージから地理情報を検出し、検出された地理情報をアプリケーション処理部に提供して、利用者に現在位置を知らせるか、利用者の選択により他の携帯端末に転送する。
【００２０】
また、携帯端末では、位置情報が存在しないと、位置情報処理モジュールを介して特定の受信端末への位置情報の転送を要求するメッセージを作成して、位置情報サーバに転送することにより、位置情報サーバを介して特定の受信端末に自分の位置情報を転送する。
【００２１】
データバーストメッセージは、位置情報サーバから転送される緯度、経度、測定時間などの地理情報(Geographic Information)を含むものであり、短文メッセージサービス(Short Message Service: 以下、ＳＭＳと称する)方式である場合には、一般の短文メッセージと位置情報メッセージとを区別するための区別タグ(tag)をさらに備えて位置情報メッセージを構成する。
【００２２】
このような本発明の一実施形態による携帯端末は、位置情報サーバから転送される位置情報を有するデータバーストメッセージが受信されると、該受信されたデータバーストメッセージから位置情報を抽出して前記端末利用者に位置情報を提供するものであって、位置情報サーバから受信したデータバーストメッセージを分析して地理情報を抽出し、抽出された地理情報を提供する位置情報処理モジュールと、該位置情報処理モジュールから提供された位置情報を利用して利用者に現在位置情報を提供するアプリケーション処理部とを備えることを特徴とする。
【００２３】
また、位置情報処理モジュールは、端末利用者により位置情報を特定の受信端末に転送することが要求されると、現在位置情報が存在するか否かを判別し、判別の結果、位置情報が存在すると、短文メッセージサービスセンターを介して特定番号の受信端末に位置情報を転送し、位置情報が存在しないと、前記位置情報サーバに位置情報要求メッセージを転送し、前記位置情報サーバを介して特定番号の受信端末に位置情報を転送することを特徴とする。
【００２４】
このような本発明の一実施形態による位置情報サーバは、所定の携帯端末に対する位置情報を収集し、位置情報サービスに登録された特定の携帯端末に対する位置情報サービスが要求されると、該当の携帯端末に対する位置情報を検索し、短文メッセージサービスセンターを介してデータバーストメッセージとして前記該当の携帯端末の位置情報を利用者に提供することを特徴とする。
【００２５】
また、位置情報サーバは、携帯端末利用者の要求により、前記端末に対する位置情報をデータバーストメッセージとして指定された番号の受信端末に転送することを特徴とする。
【００２６】
このような本発明の一実施形態による位置情報提供方法は、所定の携帯端末に対する位置情報を有する位置情報サーバにおいて、位置情報サービスに登録された携帯端末利用者に対する位置情報サービスが要求されると、該当の携帯端末の位置情報を検索するステップと、検索された位置情報を短文メッセージサービスセンターに転送するステップと、短文メッセージサービスセンターにおいて、受信された位置情報を利用してデータバーストメッセージを作成し、前記作成されたデータバーストメッセージを前記携帯端末に転送するステップとを含むことを特徴とする。
【００２７】
このような本発明の他の実施形態による位置情報提供方法は、位置情報サーバから提供されるデータバーストメッセージを受信するステップと、データバーストメッセージが受信されると、位置情報処理モジュールを実行し、前記データバーストメッセージから地理情報を検出するステップと、検出された地理情報をアプリケーション処理部に入力し、前記アプリケーション処理部を介して利用者に位置情報を提供するステップとを含むことを特徴とする。
【発明の効果】
【００２８】
このような本発明に係る位置情報提供システム及びその方法によれば、携帯端末から、無線インターネットで位置情報サーバにアクセスすることなく位置情報を取得することが可能となり、無線網の負荷を減らすことができる。
【００２９】
また、携帯端末利用者が端末機を利用する間にも、自由に位置情報を取得して利用することができる。
【００３０】
また、携帯端末間の位置情報の交換が円滑に行われるという効果がある。
【発明を実施するための最良の形態】
【００３１】
以下、本発明の好ましい実施の形態を、添付図面に基づいて詳しく説明する。
【００３２】
図２は、本発明の一実施形態による位置情報提供システムの構成を概略的に示す図である。図示のように、位置情報提供システムは、多数の携帯端末(１０１、１０２、...、１０Ｎ:１００)と、携帯端末１００のうち、位置情報サービスに登録された端末の位置情報をＨＬＲまたはＶＬＲから収集し、該当の携帯端末を介して利用者に提供する位置情報サーバ５００と、位置情報サーバ５００から転送される位置情報を利用してデータバーストメッセージを作成し、指定された受信端末に転送するＳＭＳＣ４００とを備え、位置情報サーバ５００を介して所定のサービス加入者を対象に位置情報サービスを提供するための加入者認証サーバ６００と、短文メッセージサービスセンター(Short Message System Service:以下、ＳＭＳＣと称する)４００から転送されるデータバーストメッセージを指定された受信端末に転送するための基地局２００と、交換機３００とをさらに備えている。
【００３３】
携帯端末１００は、位置情報サーバ５００から基地局２００を介して受信されるデータバーストメッセージを分析して地理情報を抽出し、抽出された地理情報を提供する位置情報処理モジュール(図示せず)と、位置情報処理モジュールから提供される位置情報を利用して利用者に現在位置情報を提供するアプリケーション処理部(図示せず)とを備えている。
【００３４】
また、位置情報処理モジュールは、利用者により位置情報を特定の受信端末に転送することが要求されると、位置情報が存在するか否かを判別し、判別の結果、端末に位置情報が存在すると、位置情報を短文メッセージセンターに転送し、端末に位置情報が存在しないと、位置情報サーバ５００に位置情報要求メッセージを転送して位置情報サーバ５００を介して特定番号の受信端末に位置情報を転送できるようにする。
【００３５】
即ち、位置情報サーバ５００から位置情報を有するデータバーストメッセージが受信されると、位置情報処理モジュールにより検出される位置情報を入力されたアプリケーション処理部では、実行されるアプリケーションの機能により、端末利用者に現在位置情報を提供する。
【００３６】
例えば、運転者のための走行情報アプリケーションプログラムにより現在位置及び目的地までの距離を確認することができ、天気予報アプリケーションプログラムにより現地の天気を確認することができる。
【００３７】
また、位置情報処理モジュールにより検出される位置情報を短文メッセージサービスとして他の特定の端末に転送することが可能となる。
【００３８】
図３は、本発明の一実施形態によるデータバーストメッセージの構造を概略的に示す図である。
【００３９】
図示のように、データバーストメッセージは、所定のバイト単位に分割したヘッダー部(Header)と、ボディ部(body)とから構成されており、ヘッダー部は、ＳＭＳ方式でない一般のデータバーストメッセージに設定され(「BURST_TYPE≠3」)、ボディ部は、位置情報サーバから転送される緯度、経度、測定時間などの地理情報(Geographic Information)を含む。
【００４０】
このようなデータバーストメッセージは、「BURST_TYPE=3」であるＳＭＳ方式で位置情報として転送されることができるが、ＳＭＳ方式の場合は、一般の短文メッセージと位置情報メッセージとを区別するために、所定の区別タグが追加される。
【００４１】
図４は、本発明の一実施形態によるＳＭＳ方式のデータバーストメッセージの構造を概略的に示す図である。
【００４２】
図示のように、ＳＭＳ方式のデータバーストメッセージは、「BURST_TYPE=3」に設定されたヘッダー部と、区別タグ、緯度、経度、測定時間、その他の情報などの地理情報を含むＳＭＳ部からなるボディ部とから構成されている。
【００４３】
ＳＭＳ方式である場合は、一般の短文メッセージと位置情報メッセージとを区別するための区別タグ(tag)を追加して位置情報を有するデータバーストメッセージを構成する。
【００４４】
一方、前述の本発明の一実施形態による位置情報提供システムは、各モジュールが全てハードウェアで構成されたり、一部のモジュールがソフトウェアで構成されたり、または全体モジュールがソフトウェアで構成されても良い。
【００４５】
従って、本発明の一実施形態による位置情報提供システムがハードウェアまたはソフトウェアで構成されることは、本発明の基本的な技術的思想を逸脱することでなく、本発明の基本的な技術的思想を逸脱しない範囲で、ソフトウェア及び/またはハードウェアで構成される他の多くの修正及び変更が可能であろう。
【００４６】
このように構成される位置情報提供システムを利用する本発明による位置情報提供方法を添付図面を参照して詳しく説明する。
【００４７】
本発明による位置情報提供方法は、所定の携帯端末に対する位置情報を有する位置情報サーバ５００から携帯端末１００に位置情報を転送する過程と、位置情報を特定の受信端末に転送する携帯端末１００間の位置情報の送受信過程とからなる。
【００４８】
携帯端末１００間の位置情報送受信過程は、位置情報サーバ５００から提供された位置情報を短文メッセージサービスを利用して特定の受信端末に転送する過程と、位置情報を特定の受信端末に転送することを位置情報サーバ５００に要求し、位置情報サーバ５００を介して特定の受信端末に転送する過程とからなる。
【００４９】
また、携帯端末間の位置情報送受信過程は、位置情報サーバ５００から受信された位置情報をアプリケーション処理部で処理し、アプリケーション処理部を介して現在位置を利用者に知らせる過程をさらに含む。
【００５０】
このような本発明による方法について、先ず、位置情報サーバ５００から携帯端末１００に位置情報を転送する過程を説明し、携帯端末１００間の位置情報送受信過程を説明する。
【００５１】
図５は、本発明の一実施形態による位置情報サーバ５００から携帯端末への位置情報転送過程を概略的に示す図である。
【００５２】
図示のように、先ず、端末利用者は、位置情報サーバ５００から位置情報サービスが提供されるようにサービス認証サーバ(図示せず)に位置情報サーバ５００による位置情報サービスを登録する(Ｓ１)。
【００５３】
登録過程で各端末利用者は、携帯端末に対する基本情報を登録すると共に、位置情報を受信する時間間隔または特定の時間を設定する。
【００５４】
次に、位置情報サーバ５００では、携帯端末１００から位置情報要求信号が受信される(Ｓ２)と、受信された信号により該当の携帯端末１００の利用者がサービス加入者であるか否かを判断する(Ｓ３)。
【００５５】
判断の結果、サービス加入者であると、位置情報サーバ５００では、ＨＬＲまたはＶＬＲから収集されるサービス登録された携帯端末に対する位置情報のうち、該当のサービス加入者の端末に対する位置情報を検索する(Ｓ４)。
【００５６】
また、サービス加入者の設定により、位置情報サービス時間となると、該当のサービス加入者の端末に対する位置情報を検索する。
【００５７】
位置情報サーバ５００では、検索された位置情報をＳＭＳＣ４００に転送し(Ｓ５)、登録された端末の情報に基づいて該当端末の番号を受信端末の番号として入力し、該当の端末への位置情報転送をＳＭＳＣ４００に要求する。
【００５８】
ＳＭＳＣ４００では、受信した位置情報を利用してデータバーストメッセージを作成し、作成されたデータバーストメッセージを指定された受信端末に転送する(Ｓ６)。
【００５９】
携帯端末１００では、ＳＭＳＣ４００からデータバーストメッセージが受信されると(Ｓ７)、位置情報処理モジュールが実行され、受信したデータバーストメッセージから位置情報を抽出する(Ｓ８)。
【００６０】
携帯端末１００では、位置情報処理モジュールにより位置情報が検出されると、利用者の選択に応じ、所定のアプリケーション処理部を介して利用者に現在位置情報を提供する(Ｓ９)。
【００６１】
図６は、本発明の一実施形態による携帯端末１００間の位置情報の送受信過程を概略的に示す図である。
【００６２】
図示のように、先ず、所定の携帯端末１０１では、利用者の選択により位置情報処理モジュールを実行する(Ｓ１１)。
【００６３】
次に、端末利用者が位置情報を特定の携帯端末１０５に転送するために実行された位置情報処理モジュールを介して受信端末１０５の番号を入力すると(Ｓ１２)、端末に現在位置情報が存在するか否かを判別する(Ｓ１３)。
【００６４】
判別の結果、現在位置情報が存在すると、ＳＭＳ方式を利用して位置情報メッセージを作成し(Ｓ１４)、作成された位置情報メッセージをＳＭＳＣ４００に転送する(Ｓ１５)。
【００６５】
ＳＭＳＣ４００では、受信された位置情報メッセージを交換機３００に転送し(Ｓ１６)、交換機３００では、受信された位置情報メッセージによる受信端末１０５の情報に基づき、該当受信端末１０５の位置情報が登録されている基地局２００にメッセージを転送する(Ｓ１７)。
【００６６】
基地局２００では、受信端末１０５の番号により該当の端末に位置情報メッセージを転送し(Ｓ１８)、受信端末１０５では、基地局２００から転送される位置情報メッセージを受信する(Ｓ１９)。
【００６７】
このように、所定の携帯端末１０１から転送される位置情報メッセージが特定の携帯端末１０５に転送されると、位置情報メッセージを受信した携帯端末１０５では、位置情報処理モジュールを実行して位置情報を抽出し(Ｓ２０)、検出された位置情報を利用して携帯端末１０１の利用者の現在位置情報をディスプレイ部に表示する(Ｓ２１)。
【００６８】
判別の結果、現在位置情報が存在しないと、位置情報サーバ５００に位置情報を要求するために、位置情報要求メッセージを作成し(Ｓ２２)、作成された位置情報要求メッセージを基地局２００に転送する(Ｓ２３)。
【００６９】
基地局２００では、交換機３００を介して位置情報サーバ５００に位置情報要求メッセージを転送し(Ｓ２４)、位置情報サーバ５００では、交換機３００を介して携帯端末１０１から転送された位置情報要求メッセージを受信する(Ｓ２５)。
【００７０】
位置情報サーバ５００では、受信された位置情報要求メッセージにより該当の端末１０１の利用者がサービス加入者であるか否かを判断した後、サービス加入者の端末１００に対する位置情報のうち、該当の端末１０１に対する位置情報を検索する(Ｓ２６)。
【００７１】
次に、位置情報サーバ５００では、ＳＭＳＣ４００で検索された位置情報を転送し(Ｓ２７)、携帯端末１０１の利用者により指定された受信端末１０５の番号に必要な情報を転送することを要求する。
【００７２】
ＳＭＳＣ４００では、受信された位置情報を利用して受信端末１０５に転送される位置情報メッセージを作成し、交換機３００に転送する(Ｓ２８)。
【００７３】
交換機３００では、受信された位置情報メッセージに指定された受信端末１０５の情報により該当の端末１０５の登録されている基地局にメッセージを転送し(Ｓ１７)、該当の端末１０５に転送されるように処理する。
【００７４】
このような本発明による位置情報提供方法について添付図面を参照して一実施形態を挙げてさらに詳しく説明する。
【００７５】
図７は、本発明の一実施形態による位置情報サーバから携帯端末への位置情報転送のためのシステム構造を示す図である。
【００７６】
図示のように、もし、携帯端末１０１の利用者の要求により、位置情報サーバ５００を介して現在位置を知らせるように設定した場合は、位置情報サーバ５００では、携帯端末１０１の利用者から位置情報要求信号が受信されると、加入者認証サーバ６００を介して該当の端末１０１の利用者が位置情報サービスの加入者であるかを確認する(１)。
【００７７】
確認の結果、位置情報サービスの加入者であると、該当の端末１０１に対する位置情報を検索し、検索された位置情報をＳＭＳＣ４００に転送する(２)。
【００７８】
ＳＭＳＣ４００では、受信された位置情報を位置情報サーバ５００から転送される該当番号の受信端末１０１に転送するために、データバーストメッセージを作成する。
【００７９】
次に、ＳＭＳＣ４００では、作成されたデータバーストメッセージを交換機３００に転送し(３)、交換機３００では、該当の受信端末１０１の位置情報が登録された基地局２００に転送する(４)。
【００８０】
携帯端末１０１では、基地局２００からデータバーストメッセージを受信し(５)、位置情報処理モジュールを実行し、受信したデータバーストメッセージに含まれた自分の現在位置情報を抽出し、アプリケーション処理部を介して位置情報を取得する。
【００８１】
図８は、本発明の一実施形態による携帯端末間の位置情報送受信のためのシステム構造を示す図である。
【００８２】
図示のように、前記過程により自分の位置情報を取得した携帯端末１０１の利用者が現在位置を他の携帯端末１０５の利用者に知らせようとする場合、携帯端末１０１の利用者は、現在位置情報を転送するために、位置情報処理モジュールを実行する。
【００８３】
次に、自分の位置情報を転送しようとする受信端末１０５の番号を入力し、現在位置情報が存在するか否かを判別する。
【００８４】
もし、携帯端末１０１の利用者が位置情報を取得してから位置を移動し、現在位置情報が存在しない場合は、位置情報要求メッセージを作成して基地局２００に転送する(１)。
【００８５】
基地局２００では、受信される位置情報要求メッセージを交換機３００に転送し(２)、交換機３００では、位置情報サーバ５００に転送する(３)。
【００８６】
位置情報サーバ５００では、受信された位置情報要求メッセージにより該当の端末１０１に対する位置情報を検索し、特定の受信端末１０５の番号を受信端末として指定してから検索された位置情報をＳＭＳＣ４００に転送する(４)。
【００８７】
ＳＭＳＣ４００では、受信された位置情報を利用して特定の受信端末１０５に転送されるデータバーストメッセージを作成し、作成されたデータバーストメッセージを交換機３００に転送する(５)。
【００８８】
交換機３００では、受信されたデータバーストメッセージの受信端末の１０５の番号により該当の端末１０５の登録された基地局２００にメッセージを転送する(６)。
【００８９】
基地局２００では、受信されたメッセージを該当の受信端末１０５に転送し(７)、携帯端末１０５では、基地局２００からデータバーストメッセージが受信されると、位置情報処理モジュールを介して受信されたデータバーストメッセージから位置情報を抽出し、携帯端末１０１の利用者の現在位置情報を取得する。
【００９０】
このような過程により携帯端末１０１の利用者は、位置情報サーバ５００から位置情報を効率的に取得することができ、位置情報サーバ５００から提供された位置情報を他の携帯端末１０５に転送するか、位置情報サーバ５００を介して自分の位置情報を携帯端末１０５に転送することが可能となる。
【００９１】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【００９２】
本発明による位置情報提供システムにおいては、位置情報サーバから短文メッセージサービスセンター(ＳＭＳＣ)を介して所定の位置情報をデータバーストメッセージに載せて携帯端末に転送することを例示しているが、本発明は、これに限定されるものではなく、このような本発明の基本的な技術的思想を逸脱しない範囲内で、当業界の通常の知識を有する者にとっては、例えば、データバーストメッセージを利用して位置情報を送受信する方法への変更のような他の多くの変更、及び他の実施の形態が可能である。
【００９３】
また、本発明は、添付の特許請求の範囲により解釈されるべきであることは言うまでもない。
【図面の簡単な説明】
【００９４】
【図１】従来の位置情報提供システムの構造を概略的に示す図である。
【図２】本発明の一実施形態による位置情報提供システムの構造を概略的に示す図である。
【図３】本発明の一実施形態による位置情報を含むデータバーストメッセージを概略的に示す図である。
【図４】本発明の一実施形態による位置情報を含むＳＭＳ方式のデータバーストメッセージを概略的に示す図である。
【図５】本発明の一実施形態による位置情報サーバから携帯端末への位置情報の転送過程を概略的に示す図である。
【図６】本発明の一実施形態による携帯端末間の位置情報の送受信過程を概略的に示す図である。
【図７】本発明の一実施形態による位置情報サーバと携帯端末間のメッセージ送受信過程を概略的に示す図である。
【図８】本発明の他の実施形態による携帯端末間の位置情報のメッセージ送受信過程を概略的に示す図である。
【符号の説明】
【００９５】
１０１、１０２、１０３、...、１０Ｎ（１００）  携帯端末
２００      基地局
３００      交換機
４００      短文メッセージサービスセンター(ＳＭＳＣ)
５００      位置情報サーバ
６００      加入者認証サーバ
【図１】
2005027275.tif 000003
【図２】
2005027275.tif 000004
【図３】
2005027275.tif 000005
【図４】
2005027275.tif 000006
【図５】
2005027275.tif 000007
【図６】
2005027275.tif 000008
【図７】
2005027275.tif 000009
【図８】
2005027275.tif 000010